(57)【特許請求の範囲】
【請求項１】
筒状のケーシングと、
外径が前記ケーシングの内径よりも大径となるように形成されると共に、円周方向に沿って互いに離間して位置している各端部を内方に突出するように屈曲形成したフック部を有し、前記ケーシング内に装填されるコイルばねと、
前記コイルばねに形成された各フック部の内側面間に位置するように配置され、回転することにより、側端面のいずれかが前記いずれかのフック部の内側面に当接し、前記コイルばねを巻き締める入力側作用片を有すると共に、この入力側作用片に対し、回転した際に入力側作用片のいずれかの側端面がいずれかのフック部の内側面に当接するまでの間に、該フック部の外側面に当接することのない間隔をおいて１以上設けられる倒れ防止用突出片を有する入力軸と、
前記コイルばねに形成された各フック部の外側面間に位置するように配置され、回転することにより、側端面のいずれかが前記いずれかのフック部の外側面に当接し、前記コイルばねを巻き戻す出力側作用片を有し、前記入力軸と同軸上に設けられる出力軸とを具備し、前記入力軸から回転力が入力された場合には、前記入力側作用片によってコイルばねが縮径してコイルばねが回転し、その回転力が出力軸に伝達される一方、前記出力軸から回転力が入力された場合には、前記出力側作用片によってコイルばねが拡径して前記ケーシング内周面に押し付けられ出力軸の回転動作が阻止されるものである回転伝達機構と、
前記入力軸に連結されるハンドルと、
前記出力軸に連結される温室用シートの巻き取り軸と
を具備し、
前記入力軸の入力側作用片の各側端面が、それぞれ、前記コイルばねの各フック部の内側面に対し、該フック部の屈曲部位より内側の部位を押圧するように形成されるとともに、互いに略平行となるように形成され、各側端面のうち内周面との角部が各フック部の内側面に当接するように設けられていることを特徴とする温室用シートの巻き取り装置。
【請求項２】
請求項１記載の温室用シートの巻き取り装置であって、前記回転伝達機構の出力軸に、その出力側作用片から離間した位置に、この出力軸の倒れを防止する支持部を設けたことを特徴とする温室用シートの巻き取り装置。
【請求項３】
請求項１又は２記載の温室用シートの巻き取り装置であって、前記回転伝達機構の出力軸の出力側作用片が、前記入力軸の入力側作用片及び倒れ防止用作用片の形成位置よりも軸心寄りに形成されていることを特徴とする温室用シートの巻き取り装置。
【請求項４】
筒状のケーシングと、
外径が前記ケーシングの内径よりも大径となるように形成されると共に、円周方向に沿って互いに離間して位置している各端部を内方に突出するように屈曲形成したフック部を有し、前記ケーシング内に装填されるコイルばねと、
前記コイルばねに形成された各フック部の内側面間に位置するように配置され、回転することにより、側端面のいずれかが前記いずれかのフック部の内側面に当接し、前記コイルばねを巻き締める入力側作用片を有する入力軸と、
前記コイルばねに形成された各フック部の外側面間に位置するように配置され、回転することにより、側端面のいずれかが前記いずれかのフック部の外側面に当接し、前記コイルばねを巻き戻す出力側作用片を有し、該出力側作用片が、前記入力軸の入力側作用片の形成位置よりも軸心寄りに形成されている出力軸とを具備し、前記入力軸から回転力が入力された場合には、前記入力側作用片によってコイルばねが縮径してコイルばねが回転し、その回転力が出力軸に伝達される一方、前記出力軸から回転力が入力された場合には、前記出力側作用片によってコイルばねが拡径して前記ケーシング内周面に押し付けられ出力軸の回転動作が阻止されるものである回転伝達機構と、
前記入力軸に連結されるハンドルと、
前記出力軸に連結される温室用シートの巻き取り軸と
を具備し、
前記入力軸の入力側作用片の各側端面が、それぞれ、前記コイルばねの各フック部の内側面に対し、該フック部の屈曲部位より内側の部位を押圧するように形成されるとともに、互いに略平行となるように形成され、各側端面のうち内周面との角部が各フック部の内側面に当接するように設けられていることを特徴とする温室用シートの巻き取り装置。
【請求項５】
筒状のケーシングと、
外径が前記ケーシングの内径よりも大径となるように形成されると共に、円周方向に沿って互いに離間して位置している各端部を内方に突出するように屈曲形成したフック部を有し、前記ケーシング内に装填されるコイルばねと、
前記コイルばねに形成された各フック部の内側面間に位置するように配置され、回転することにより、側端面のいずれかが前記いずれかのフック部の内側面に当接し、前記コイルばねを巻き締める入力側作用片を有し、該入力側作用片の各側端面が前記コイルばねの各フック部の内側面に対し、該フック部の屈曲部位より内側の部位を押圧するように形成されている入力軸と、
前記コイルばねに形成された各フック部の外側面間に位置するように配置され、回転することにより、側端面のいずれかが前記いずれかのフック部の外側面に当接し、前記コイルばねを巻き戻す出力側作用片を有し、前記入力軸と同軸上に設けられる出力軸とを具備し、前記入力軸から回転力が入力された場合には、前記入力側作用片によってコイルばねが縮径してコイルばねが回転し、その回転力が出力軸に伝達される一方、前記出力軸から回転力が入力された場合には、前記出力側作用片によってコイルばねが拡径して前記ケーシング内周面に押し付けられ出力軸の回転動作が阻止されるものである回転伝達機構と、
前記入力軸に連結されるハンドルと、
前記出力軸に連結される温室用シートの巻き取り軸と
を具備し、
前記入力軸の入力側作用片の各側端面が互いに略平行となるように形成され、各側端面のうち内周面との角部が各フック部の内側面に当接するように設けられていることを特徴とする温室用シートの巻き取り装置。
【請求項６】
請求項５記載の温室用シートの巻き取り装置であって、前記回転伝達機構の出力軸に、その出力側作用片から離間した位置に、この出力軸の倒れを防止する支持部を設けたことを特徴とする温室用シートの巻き取り装置。
【請求項７】
請求項５又は６記載の温室用シートの巻き取り装置であって、前記回転伝達機構の出力軸の出力側作用片が、前記入力軸の入力側作用片の形成位置よりも軸心寄りに形成されていることを特徴とする温室用シートの巻き取り装置。
【発明の詳細な説明】
【０００１】
【発明の属する技術分野】
本発明は、施設園芸で使用される温室用シートの巻き取り装置に関し、特に、入力側からの回転力を出力側に伝達できる一方で、出力側からの回転力が入力側へ伝達することを阻止できる回転伝達機構を用いた温室用シートの巻き取り装置に関する。
【０００２】
【従来の技術】
図９に示したように、例えば、温室１００の側面には、開閉可能な換気シート１０１が用いられている。具体的には、換気シート１０１の下端部に巻き取り軸１０３を取り付けると共に、温室１００の妻面側において、該換気シート１０１付近に支持棒１０２を立設し、この支持棒１０２に沿って上昇又は下降する巻き取り装置１１０を配置し、この巻き取り装置１１０のハンドル１１１を回転させることにより、巻き取り軸１０３に換気シート１０１を巻き取ったり巻き戻したりして開閉するものである。
【０００３】
すなわち、ハンドル１１１を、例えば、図においてＸ方向に回転させると、それに伴って、出力軸１１２が回転し、該出力軸１１２に連結された巻き取り軸１０３が回転して換気シート１０１をその下端部から巻き取っていく。その一方、巻き取り装置１１０には、対向して配設された２枚の支持プレート１１４，１１５を備えており、この支持プレート１１４，１１５間に、支持棒１０２を挟むように配設され、該支持棒１０２の表面に沿って走行可能なガイドローラ１１６が設けられている。従って、ハンドル１１１を回転させて巻き取り軸１０３に換気シート１０１を巻き取っていくと、巻き取り軸１０３の位置が上昇していくことに伴い、巻き取り装置１１０自体も支持棒１０２に沿って上昇していく。ハンドル１１１をＹ方向に回転させた場合には、上記と逆に、巻き取られた換気シート１０１が巻き戻されていき、同様に巻き取り装置１１０も支持棒１０２に沿って下降していく。
【０００４】
ところで、上記した巻き取り装置１１０において例えば所定時間換気を継続したりする場合、換気シート１０１をある程度開口して、その位置で止めておく必要がある。従って、ハンドル１１１の回転力を出力軸１１２に伝達する回転伝達機構では、換気シート１０１を開口状態で止めることにより、出力軸１１２側から回転力が付与されても、その回転力をハンドル１１１側（入力側）に伝達しないような構成とする必要がある。
【０００５】
そのための構成として、従来、図１０に示したような回転伝達機構１２０が用いられている。すなわち、筒状ケーシング１２１内に配設されるコイルばね１２２と、筒状ケーシング１２１内に配設されると共に、ハンドル１１１に連結される入力軸１２３と、この入力軸１２３に対面するように同軸上に配設され、換気シート１０１の巻き取り軸に連結される出力軸１２４とを有している構造である。入力軸１２３の内端面１２３ａには、その外周縁に沿って所定の幅で入力側作用片１２３ｂが突設されており、また、出力軸１２４の内端面１２４ａにもその外周縁に沿って所定の幅で出力側作用片１２４ｂが突設されている。この際、入力軸１２３と出力軸１２４とを同軸上に配置した際に、入力側作用片１２３ｂと出力側作用片１２４ｂとは同一円周上に配置されるように設けられており、入力軸１２３の内端面１２３ａと出力軸１２４の内端面１２４ａとを対向させて配置した際に、入力側作用片１２３ｂの先端が出力軸１２４の内端面１２４ａに接し、出力側作用片１２４ｂの先端が入力軸１２３の内端面１２３ａに接するように、上記ケーシング１２１内に配設されている。また、コイルばね１２２の両端部は内方に向けて屈曲され、フック部１２２ａ，１２２ｂを形成しており、このフック部１２２ａ，１２２ｂの各内側面間に入力側作用片１２３ｂが位置し、該フック部１２２ａ，１２２ｂの各外側面間に出力側作用片１２４ｂが位置するように設けられている。
【０００６】
これにより、上記のハンドル１１１を操作して入力軸１２３が回転した場合には、図１１に示したように、入力側作用片１２３ｂの側端面のいずれかがフック部１２２ａ，１２２ｂのうちのいずれかの内側面に当接するため、コイルばね１２２を巻き締めていく。従って、コイルばね１２２は縮径し、ケーシング１２１内で回転する。コイルばね１２２が回転するとフック部１２２ａ，１２２ｂが出力側作用片１２４ｂの側端面に当接するため、出力軸１２４が入力軸１２３と同じ方向に回転する。この結果、出力軸１２４に連結された上記の巻き取り軸１０３が回転し、換気シート１０１を巻き取りし、又は巻き戻しする。
【０００７】
一方、換気シート１０１を例えば開口状態で止めることにより、出力軸１２４に回転力が加わった場合には、図１２から明らかなように、出力軸１２４の出力側作用片１２４ｂの側端面のいずれかがコイルばね１２２のフック部１２２ａ，１２２ｂのうちのいずれかの外側面に当接して押圧する。このため、コイルばね１２２は巻き戻され、その径が拡径し、該コイルばね１２２の外周面がケーシング１２１の内周面に圧接される。この結果、出力軸１２４の回転は阻止され、出力軸１２４に加わった回転力は入力軸１２２には伝達されない。
【０００８】
【発明が解決しようとする課題】
しかしながら、上記した回転伝達機構１２０の場合には、入力側作用片１２３ｂと出力側作用片１２４ｂとが、入力軸１２３及び出力軸１２４の各内端面１２３ａ及び１２４ａ上、いずれも片側に偏在し、相互に突き合わせることによりバランスをとっているに過ぎない。このため、各内端面１２３ａ，１２４ａの平滑度、これらに当接する入力側作用片１２３ｂの先端面や出力側作用片１２４ｂの先端面の平滑度、あるいはケーシング１２１の寸法精度などの部材製造時の僅かな寸法誤差によりがたつきが生じ易い。このがたつきがある場合には、入力軸１２３が回転しても、入力側作用片１２３ｂや出力側作用片１２４ｂの外周面がケーシング１２１の内周面に接したりして回転力の伝達にロスが生じる。
【０００９】
また、入力軸１２３と出力軸１２４とを同軸上に配置した際に、入力側作用片１２３ｂと出力側作用片１２４ｂとは同一円周上に配置されるように設けられているため、上記のような寸法誤差があると、出力側作用片１２４ｂの僅かな倒れにより、コイルばね１２２の内周面に接してこれによっても回転力の伝達ロスが生じる。
【００１０】
さらには、図１１に示したように、入力側作用片１２３ｂは、先端面方向から見た場合に扇状となるように形成しており、各側端面の厚み方向に横切る仮想線が軸心Ｐに向かうように形成されている。その一方で、コイルばね１２２の端部を屈曲させてフック部１２２ａ，１２２ｂを形成する場合、このフック部１２２ａ，１２２ｂを厳密に直角に折り曲げることは困難で、その屈曲部位は必然的にアールが付けられた状態となる。
【００１１】
このため、入力側作用片１２３ｂの各側端面がフック部１２２ａ，１２２ｂの内側面に当接するといっても、最初に当接する箇所は、フック部１２２ａ，１２２ｂのうちのアールが付いている屈曲部位に対して、該入力側作用片１２３ｂうち、その外周面との角部になるため、各フック部１２２ａ，１２２ｂの内側面を当接当初に押圧する際の力の作用方向Ｆが、円周方向に沿わずそれよりも外側に向き易い。従って、入力側作用片１２３ｂのいずれかの側端面がいずれかのフック部１２２ａ，１２２ｂの内側面を押圧してコイルばね１２２を巻き締めていく力にロスがある。一旦巻き締めが始まれば、コイルばね１２２の外周面とケーシング１２１の内周面との摩擦抵抗は低くなるのであるが、巻き締め当初においては、巻き締め力にロスがある分、回転力の伝達損失が大きい。
【００１２】
本発明は上記に鑑みなされたものであり、ケーシング内周面に圧接可能なコイルばねを用いた入力軸側からの回転力のみを伝達する構造の回転伝達機構を用いた温室用シートの巻き取り装置において、入力軸側からの回転力の伝達損失をできるだけ小さくすることを課題とする。
【００１３】
【課題を解決するための手段】
上記した課題を解決するため、本発明は、以下の温室用シートの巻き取り装置を提供する。
【００１４】
１．筒状のケーシングと、外径が前記ケーシングの内径よりも大径となるように形成されると共に、円周方向に沿って互いに離間して位置している各端部を内方に突出するように屈曲形成したフック部を有し、前記ケーシング内に装填されるコイルばねと、前記コイルばねに形成された各フック部の内側面間に位置するように配置され、回転することにより、側端面のいずれかが前記いずれかのフック部の内側面に当接し、前記コイルばねを巻き締める入力側作用片を有すると共に、この入力側作用片に対し、回転した際に入力側作用片のいずれかの側端面がいずれかのフック部の内側面に当接するまでの間に、該フック部の外側面に当接することのない間隔をおいて１以上設けられる倒れ防止用突出片を有する入力軸と、前記コイルばねに形成された各フック部の外側面間に位置するように配置され、回転することにより、側端面のいずれかが前記いずれかのフック部の外側面に当接し、前記コイルばねを巻き戻す出力側作用片を有し、前記入力軸と同軸上に設けられる出力軸とを具備し、前記入力軸から回転力が入力された場合には、前記入力側作用片によってコイルばねが縮径してコイルばねが回転し、その回転力が出力軸に伝達される一方、前記出力軸から回転力が入力された場合には、前記出力側作用片によってコイルばねが拡径して前記ケーシング内周面に押し付けられ出力軸の回転動作が阻止されるものである回転伝達機構と、前記入力軸に連結されるハンドルと、前記出力軸に連結される温室用シートの巻き取り軸とを具備し、前記入力軸の入力側作用片の各側端面が、それぞれ、前記コイルばねの各フック部の内側面に対し、該フック部の屈曲部位より内側の部位を押圧するように形成されるとともに、互いに略平行となるように形成され、各側端面のうち内周面との角部が各フック部の内側面に当接するように設けられていることを特徴とする温室用シートの巻き取り装置。
【００１５】
２．前記１に記載の温室用シートの巻き取り装置であって、前記回転伝達機構の出力軸に、その出力側作用片から離間した位置に、この出力軸の倒れを防止する支持部を設けたことを特徴とする温室用シートの巻き取り装置。
【００１６】
３．前記１又は２に記載の温室用シートの巻き取り装置であって、前記回転伝達機構の出力軸の出力側作用片が、前記入力軸の入力側作用片及び倒れ防止用作用片の形成位置よりも軸心寄りに形成されていることを特徴とする温室用シートの巻き取り装置。
【００１７】
４．筒状のケーシングと、外径が前記ケーシングの内径よりも大径となるように形成されると共に、円周方向に沿って互いに離間して位置している各端部を内方に突出するように屈曲形成したフック部を有し、前記ケーシング内に装填されるコイルばねと、前記コイルばねに形成された各フック部の内側面間に位置するように配置され、回転することにより、側端面のいずれかが前記いずれかのフック部の内側面に当接し、前記コイルばねを巻き締める入力側作用片を有する入力軸と、前記コイルばねに形成された各フック部の外側面間に位置するように配置され、回転することにより、側端面のいずれかが前記いずれかのフック部の外側面に当接し、前記コイルばねを巻き戻す出力側作用片を有し、該出力側作用片が、前記入力軸の入力側作用片の形成位置よりも軸心寄りに形成されている出力軸とを具備し、前記入力軸から回転力が入力された場合には、前記入力側作用片によってコイルばねが縮径してコイルばねが回転し、その回転力が出力軸に伝達される一方、前記出力軸から回転力が入力された場合には、前記出力側作用片によってコイルばねが拡径して前記ケーシング内周面に押し付けられ出力軸の回転動作が阻止されるものである回転伝達機構と、前記入力軸に連結されるハンドルと、前記出力軸に連結される温室用シートの巻き取り軸とを具備し、前記入力軸の入力側作用片の各側端面が、それぞれ、前記コイルばねの各フック部の内側面に対し、該フック部の屈曲部位より内側の部位を押圧するように形成されるとともに、互いに略平行となるように形成され、各側端面のうち内周面との角部が各フック部の内側面に当接するように設けられていることを特徴とする温室用シートの巻き取り装置。
【００１８】
５．筒状のケーシングと、外径が前記ケーシングの内径よりも大径となるように形成されると共に、円周方向に沿って互いに離間して位置している各端部を内方に突出するように屈曲形成したフック部を有し、前記ケーシング内に装填されるコイルばねと、前記コイルばねに形成された各フック部の内側面間に位置するように配置され、回転することにより、側端面のいずれかが前記いずれかのフック部の内側面に当接し、前記コイルばねを巻き締める入力側作用片を有し、該入力側作用片の各側端面が前記コイルばねの各フック部の内側面に対し、該フック部の屈曲部位より内側の部位を押圧するように形成されている入力軸と、前記コイルばねに形成された各フック部の外側面間に位置するように配置され、回転することにより、側端面のいずれかが前記いずれかのフック部の外側面に当接し、前記コイルばねを巻き戻す出力側作用片を有し、前記入力軸と同軸上に設けられる出力軸とを具備し、前記入力軸から回転力が入力された場合には、前記入力側作用片によってコイルばねが縮径してコイルばねが回転し、その回転力が出力軸に伝達される一方、前記出力軸から回転力が入力された場合には、前記出力側作用片によってコイルばねが拡径して前記ケーシング内周面に押し付けられ出力軸の回転動作が阻止されるものである回転伝達機構と、前記入力軸に連結されるハンドルと、前記出力軸に連結される温室用シートの巻き取り軸とを具備し、前記入力軸の入力側作用片の各側端面が互いに略平行となるように形成され、各側端面のうち内周面との角部が各フック部の内側面に当接するように設けられていることを特徴とする温室用シートの巻き取り装置。
【００１９】
６．前記５に記載の温室用シートの巻き取り装置であって、前記回転伝達機構の出力軸に、その出力側作用片から離間した位置に、この出力軸の倒れを防止する支持部を設けたことを特徴とする温室用シートの巻き取り装置。
【００２０】
７．前記５又は６に記載の温室用シートの巻き取り装置であって、前記回転伝達機構の出力軸の出力側作用片が、前記入力軸の入力側作用片の形成位置よりも軸心寄りに形成されていることを特徴とする温室用シートの巻き取り装置。
【００２１】
【発明の実施の形態】
以下、図面に示した実施の形態に基づき本発明をさらに詳細に説明する。
【００２２】
図１は、本発明の一の実施の形態にかかる温室用シート巻き取り装置に用いられる回転伝達機構１０を示す分解斜視図であり、図２はその組立状態の断面図である。
【００２３】
この回転伝達機構１０は、両端開口の筒状のケーシング２０を有して構成されている。この筒状のケーシング２０は、温室用シートの巻き取り装置に適用する場合には、該巻き取り装置を構成するカバー体（図示せず）内に配設される。
【００２４】
ケーシング２０の内部には、コイルばね３０が配設される。コイルばね３０は、その外径がケーシング２０の内径よりも大径となるように巻回形成されおり、ケーシング２０内に装填した際には、その外周面がケーシング２０の内周面を圧接するようになっている。後述のように、本実施の形態の回転伝達機構１０は、出力軸５０からの回転力が加わった場合には、コイルばね３０の外周面をケーシング２０の内周面に圧接させ、その摩擦抵抗により回転を阻止するものであるため、コイルばね３０のケーシング２０内周面に対する接触面積が大きくなるよう、該コイルばね３０は断面矩形状の線材を用いることが好ましい。
【００２５】
コイルばね３０は、軸心方向一端側と他端側とにそれぞれ端部を有しているが、この端部は、いずれも内方に向かって突出するように屈曲され、フック部３１，３２となっている。屈曲角度は制限されるものではないが、後述の入力側作用片４３が当接することにより及ぼされる力Ｆを外方に逃がさないよう、軸心Ｐに向かって突出しているか、それよりもさらに鋭角に突出するように屈曲されていることが好ましい。なお、フック部３１，３２間の隙間に後述の入力側作用片４３が挿入されるものであるため、フック部３１，３２は軸方向の端部から見たときに、互いに円周方向に離間する位置に設けられている（図５及び図６参照）。
【００２６】
入力軸４０は、図１及び図３に示したように、所定の長さを有する筒状に形成されており、その一端部４１は、ケーシング２０の一方の開口部から突出するように配設される。一端部４１には、直径方向に貫通する孔４１ａが形成されており、温室用シートの巻き取り装置に適用する場合には、そのハンドル（図示せず）の端部を入力軸４０の一端部４１に嵌装した上で、該孔４１ａにピンやボルト（図示せず）を介して連結されるものである。
【００２７】
入力軸４０の、ケーシング２０内に位置することにより内端面４２となる他端側の端面には、その外周縁に沿って所定幅の入力側作用片４３が突設されている。入力側作用片４３の円周方向に沿った幅は、上記したコイルばね３０を軸方向の端部から見たときに円周方向に対向するように見えるフック部３１，３２の内側面（屈曲方向内側の面）間の間隔以下になっている。また、その軸方向に沿った長さは、該フック部３１，３２の内側面間に挿入して図３及び図５上、Ｘ方向に回転させた際に、該入力側作用片４３の一方の側端面４３ｂが、入力軸４０の内端面４２に近接しているフック部３１ではなく、軸方向に沿って離れた位置に存在するフック部３２の内側面に当接し得る長さを有している。
【００２８】
入力側作用片４３は、このように、入力軸４０が回転するとその側端面４３ａ，４３ｂのうちのいずれかが、フック部３１，３２のいずれかの内側面に当接するものであり、いずれの方向に回転する場合であっても、フック部３１，３２の内側面を押圧するということは、コイルばね３０をその巻回方向に巻き締めていくことであるため、コイルばね３０を縮径させ、該コイルばね３０の外周面とケーシング２０の内周面との間の摩擦抵抗を小さくさせて入力軸４０側からの回転を許容するもの、すなわち、コイルばね３０によるロック状態を解除するものである。従って、入力軸４０を回転させた際には、入力側作用片４３のいずれかの側端面４３ａ，４３ｂがフック部３１，３２に対して食いつき易いほどコイルばね３０が素早く巻き締められ遊びがなくなる。
【００２９】
従来の回転伝達機構１００は、図１１に示したように、入力側作用片１２３ｂを先端面方向から見た場合に扇状となるように形成しており、各側端面の厚み方向に横切る仮想線が軸心Ｐに向かうように形成されている。このため、上記したように、フック部１２２ａ，１２２ｂのうちのアールが付いている屈曲部位に対して、該入力側作用片１２３ｂうちの外周面との角部がまず当接することになるため、各フック部１２２ａ，１２２ｂの内側面を押圧する際の力の作用方向Ｆが、円周方向よりも外側に向きやすい。
【００３０】
これに対し、本実施の形態では、図５に示したように、側端面４３ａ，４３ｂは、その表面が互いに略平行で、いずれの方向に回転した場合にも、側端面４３ａ，４３ｂのうち、入力軸作用片４３の内周面との角部４３ｃ，４３ｄが、最初に、フック部３１，３２の内側面のうち、アールの付いている屈曲部位よりも内側の部位に当接するように形成している。その一方、上記したように、フック部３１，３２の突出方向が軸心Ｐ方向となるように形成されているため、該側端面４３ａ，４３ｂがフック部３１，３２の内側面に当接した際の当接当初の力の作用方向Ｆが、ほぼ円周方向に沿うかそれよりも内側となり、いわゆる食いつきが良く、側端面４３ａ，４３ｂがフック部３１，３２に当接した後、コイルばね３０が素早く巻き締められる構成となっている。このため、遊びが少なく、入力軸４０を回転させた場合には、その初期段階における出力軸５０に対する回転伝達効率は従来よりも高くなる。
【００３１】
入力軸４０の内端面４２においては、図１及び図３に示したように、入力側作用片４３と対向するようにほぼ同形状でほぼ同じ大きさの倒れ防止用突出片４４が突設されている。製造時の寸法精度に起因するケーシング２０内における入力軸４０の前後左右への僅かな倒れ（傾き）を防止するために設けたものであり、製造時の寸法精度が同じと仮定した場合、従来の入力側作用片１２３ｂしか設けられてない構成と比較して倒れが少なくなり、回転力の伝達損失が小さくなる。
なお、入力側作用片４３の先端面は後述の出力軸５０の内端面５２に当接するものであるため、より確実に倒れを防止するためには、この倒れ防止用突出片４４もその先端面が出力軸５０の内端面５２に当接する程度の長さを有していることが好ましい。また、この倒れ防止用突出片４４は、いずれかの方向に回転することにより入力側作用片４３の側端面４３ａ，４３ｂがコイルばね３０のフック部３１，３２の内側面に当接するまでの間に、該倒れ防止用突出片４４の側端面がフック部３１，３２に接触しないような間隔をおいて設けられる。
【００３２】
なお、倒れ防止用突出片４４は、入力軸４０の傾きを防止する機能を果たすことができれば良く、本実施の形態のように必ずしも、入力側作用片４３とほぼ同形状に設けられている必要はない。例えば、棒状の突起を複数本突設することにより構成することもできる。
【００３３】
出力軸５０は、図１及び図４に示したように、所定の長さを有する円柱状に形成されており、その一端部５１は、ケーシング２０の他方の開口部から突出するように配設される。一端部５１には、直径方向に貫通する孔５１ａが形成されており、温室用シートの巻き取り装置に適用する場合には、その温室用シート（換気シート等）を巻き取ったり巻き戻したりする巻き取り軸（図示せず）の端部を該出力軸５０の一端部５１に嵌装した上で、該孔５１ａにピンやボルト（図示せず）を介して連結されるものである。
【００３４】
出力軸５０は、入力軸４０と同軸上に配設される。そして、ケーシング２０内に位置することにより内端面５２となる他端側の端面には、円周方向に所定の幅で突出する出力側作用片５３が突設されている。出力側作用片５３の円周方向に沿った幅は、図４及び図６に示したように、上記したコイルばね３０を軸方向の端部から見たときにフック部３１，３２の外側面（屈曲方向外側の面）間の円周方向に沿った間隔以下になっている。また、その軸方向に沿った長さは、入力側作用片４３と同様、いずれのフック部３１，３２にも当接し得る程度に形成されている。軸ぶれのないように安定した回転を確保するためには、出力側作用片５３の先端面が入力軸４０の内端面４２に当接し得る程度であることが好ましい。
すなわち、本実施の形態のように、入力側作用片４３と出力側作用片５３は、いずれも各内端面４２，５２からの突出高さが同じで、その各先端面が互いに他方の内端面に当接し得るような関係に形成することが倒れ防止（軸ぶれ防止）のためには好ましい。
【００３５】
但し、図１０に示した従来のもののように、入力軸１２３と出力軸１２４とをケーシング１２１内で組合せた際に、入力側作用片１２３ｂと出力側作用片１２４ｂとが同一円周上に配置されるように形成した場合には、入力軸１２３の回転によって出力軸１２４が回転する際、僅かな傾きにより出力側作用片１２３ｂの外周面がコイルばね１２２の内周面に接して回転ロスを生じる。従って、本実施の形態のように、出力側作用片５３の内端面５２における突設位置は、入力軸４０における入力側作用片４３の内端面４２の突設位置よりも内側（軸心寄り）となるようにすることが好ましい。これにより、出力軸５０が僅かに傾いても出力側作用片５３の外周面がコイルばね３０の内周面に接することがなく、これに起因する回転ロスを防ぐことができる。
【００３６】
また、出力側作用片５３にも倒れ防止用の支持部５４を設けることが好ましい。この倒れ防止用の支持部５４は、その高さが出力側作用片５３とほぼ同じで入力軸４０の内端面４２に当接し、前後左右へのぶれを防ぐことができれば良く、その形状は限定されるものではない。但し、入力軸４０の回転に伴うコイルばね３０の回転を妨げたり、出力軸５０側に回転力が加わることにより出力側作用片５３の側端面５３ａ，５３ｂがコイルばね３０のフック部３１，３２の外側面に当接することを妨げたりすることがないよう、逃げて設ける必要がある。
【００３７】
本実施の形態では、出力側作用片５３における円周方向ほぼ中央に対して離間していると共に、入力軸４０における入力側作用片４３の内端面４２の突設位置よりも内側（軸心寄り）となる位置にこの支持部５４を突設している。なお、本実施の形態では、図１、図４及び図６に示したように、成形のし易さから出力側作用片５３とこの支持部５４をつながった形で形成しているが、これに限定されるものではなく、両者の間に溝が形成され、隙間を有するような形状であっても良い（図７の支持部５４参照）。要は、出力側作用片５３から離間した位置に倒れ防止の機能を果たす部位として設けられていればよい。
【００３８】
本実施の形態の回転伝達機構１０は、例えば、温室用シートの巻き取り装置を構成するケース体内に収容されて使用される。そして、そのハンドルをいずれかの方向に回転させると、入力軸４０が回転し、図５においてＹ方向に回転した場合には、入力側作用片４３の一方の側端面４３ａの角部４３ｃがコイルばね３０の一方のフック部３１の内側面のうち屈曲部位よりも内側部位にまず当接して押圧し、Ｘ方向に回転した場合には、入力側作用片４３の他方の側端面４３ｂの角部４３ｄがコイルばね３０の他方のフック部３２の内側面のうち屈曲部位よりも内側部位にまず当接して押圧し、いずれにしても、コイルばね３０を巻き締めて縮径させる。このため、コイルばね３０の外周面とケーシング２０の内周面との摩擦抵抗が小さくなり、該コイルばね３０が回転する。コイルばね３０が回転すると、そのフック部３１又は３２の外側面が出力側作用片５３のいずれかの側端面５３ａ，５３ｂに当接して押圧するため、出力軸５０がＸ方向又はＹ方向に回転することになる。これにより、出力軸５０に連結された巻き取り軸がいずれかの方向に回転し、支柱周囲に配設されたガイドローラ（図示せず）が該支柱に沿って走行して上下動するため、温室用シートが巻き取られ又は巻き戻しされる。
【００３９】
一方、ハンドル操作を止めた場合には、温室用シートの重みにより巻き取り軸に対し、通常、巻き戻し方向への回転力が加わる。この結果、出力軸５０が例えば図６においてＹ方向に回転しようとするが、出力側作用片５３の側端面５３ｂがコイルばね３０のフック部３２の外側面に当接し、該コイルばね３０を巻き戻し方向に付勢して拡径させる。このため、コイルばね３０の外周面がケーシング１１の内周面に強く圧接され、摩擦抵抗が非常に高くなり、出力軸５０の回転が阻止され、その回転力は入力軸４０には伝達されない。
【００４０】
試験例
図１０〜図１２に示した従来の回転伝達機構１００（比較例）と図１〜図６に示した本実施の形態に係る回転伝達機構１０（実施例）との回転力伝達効率を出力トルク別に測定し、比較したところ、次表のような結果を得た。
【００４１】
【表１】
0004565586.tif 000002
【００４２】
表から明らかなように、いずれの出力トルクにおいても実施例の方が比較例より回転伝達効率が優れており、本実施の形態の構成によりいかに伝達損失が少なくなるかがわかる。特に、実施例の場合には、出力トルク４．９Ｎ・ｍ（０．５ｋｇｆ・ｍ）である回転開始当初から、７０％を越える回転伝達効率を示している。このことから、入力側作用片４３の側端面４３ａ，４３ｂのコイルばね３０のフック部３１，３２の内側面に対する巻き締め当初の食いつきよく、コイルばね３０を素早く巻き込んで縮径させていることがわかる。
【００４３】
本発明の温室用シート巻き取り装置は、上記した実施の形態に限定されるものではないことはもちろんである。上記した実施の形態では、入力軸４０の倒れ防止用突出片４４を設けて軸ぶれを防止して伝達効率を向上させる手段、出力軸５０の出力側作用片５３の形成位置を、入力側作用片４３の入力軸４０の内端面４２に対する位置よりも軸心寄りとすることにより、コイルばね３０の内周面に接することを防止して伝達効率を向上させる手段、及び入力側作用片４３の側端面４３ａ，４３ｂの形状を特定することにより、コイルばね３０のフック部３１，３２の内側面に対する食いつきをよくし、伝達効率を向上させる手段の全てを採用した機構であるが、これらのうちの少なくとも一つの手段を採用しただけでも、従来の回転伝達機構より伝達効率を向上させることができることはもちろんである。
【００４４】
また、図７に示したように、減速機構６０を付加した構成とすることもできる。図７では、出力軸５０の一端部５１に第１の歯車６１を設け、この第１の歯車６１の周囲に位置して第１の歯車６１により回転される３つの第２の歯車６２を備えた減速軸６３と、ケーシング２０内に設けられ、第２の歯車６３がかみ合う内歯車６４とを備えた遊星歯車機構を採用している。減速軸６３の軸部６３ａに巻き取り軸を連結することにより、入力軸３０を軽い力で回転させて巻き取り軸に温室用シートを巻き取り又は巻き戻しすることが可能となる。なお、このケーシング２０には、上記実施の形態で採用したケーシング２０と異なり、内歯車６４が設けられる部位に隣接してコイルばね３０が装填される室２１を有し、この室２１内においてコイルばね３０のロック又はロック解除がなされる機構を採用している。但し、この点を除くその他の構成は上記実施の形態に係る回転伝達機構１０と全く同様であり、入力軸３０側からの回転力は出力軸５０及び減速軸６３に伝達されるが、減速軸６０を介して出力軸５０に加わる回転力は入力軸３０には伝達されない。
【００４５】
また、減速機構６０としては、図７に示したものに限定されるものではなく、種々の機構を採用することができる。また、減速率も限定されるものではなく、減速軸６３に連結される被動作部材（巻き取り軸、温室シート等）の重量や大きさなどによって種々の比率を採用することができる。
【００４６】
また、出力軸５０の出力側作用片５３の形成位置を、入力側作用片４３の入力軸４０の内端面４２に対する位置よりも軸心寄りとすることにより、コイルばね３０の内周面に接することを防止して伝達効率を向上させる手段は、出力軸５０の内端面５２の直径が入力軸４０の内端面４２の直径と同じである場合には、上記のように、内端面５２の外周よりも出力側作用片５３の突設位置を内側にすることにより達成できる。しかしながら、これに限定されるものではなく、図８に示したように、出力軸５０の内端面５２自体の直径を入力軸４０の内端面４２よりも小さくし、出力側作用片５３をその内端面５２の外周縁に沿って突設させるだけで、出力軸５０を入力軸４０と同軸上に配置した際に、出力側作用片５３の突設位置が入力側作用片４３の突設位置よりも軸心寄りとなるようにすることもできる。
【００４７】
また、この際、入力側作用片４３と倒れ防止用突出片４４の長さを出力軸５０の内端面５２の外周部に到る程度の長さにすると、該内端面５２が入力側作用片４３と倒れ防止用突出片４４とにより抱持されるような状態となるため、軸ぶれ防止に役立つ。また、ケーシング２０内における位置決めのため、図示しない筒状の軸受けカラーを、ケーシング２０と出力軸５０との間、及びケーシング２０と入力軸４０との間に装填することが好ましい。この際、上記のように、入力側作用片４３と倒れ防止用突出片４４の長さを出力軸５０の内端面５２の外周部に到る程度の長さにし、かつ出力軸５０側に装填される軸受けカラーの厚さを、該出力軸５０の内端面５２との間に隙間が形成される程度としておけば、該入力側作用片４３と倒れ防止用突出片４４との先端部をこの軸受けカラーの内周面と該出力軸５０の内端面５２とにより形成される隙間に位置させることができ、さらなる軸ぶれ防止に役立つ。
【００４８】
また、図８に示した出力軸５０は、いずれも、略筒状に形成されていると共に、倒れ防止用の支持部５４を有する。図８（ａ）に示したものは、支持部５４が、出力側作用片５３における円周方向ほぼ中央に対して離間していると共に、入力軸４０における入力側作用片４３の突設位置よりも内側（軸心寄り）となる位置に棒状に突設した構造である。
【００４９】
図８（ｂ）に示したものは、出力側作用片５３の先端部５３ｃに円盤部材５８を固着し、これにより支持部を構成したものである。この円盤部材５８は、出力側作用片５３の円周半径と同じ半径で形成され、かつ先端部５３ｃに固着されて、その底面５８ａが入力軸４０の内端面４２に面接触するように設けられており、出力軸５０の軸ぶれ（倒れ）を防止できる。この円盤部材５８としては、摩擦抵抗の小さな部材からなることが好ましく、もちろん金属製であってもよいが、合成樹脂材から形成すれば、摩擦抵抗の小さな部材を容易に製作できる。摩擦抵抗の小さな部材から形成した場合には、回転伝達損失をさらに小さくすることが可能である。なお、図では円盤部材５８を採用しているが、摩擦抵抗を低減できれば、リング状や半円状等に成形されたものであってもよい。この際、合成樹脂材から形成すれば上記のように摩擦抵抗の小さなものを容易に製作できるという利点がある一方で、金属から形成した場合にも、出力側作用片５３と一体的に成形できるという利点がある。
【００５０】
さらに、本発明の温室用シート巻き取り装置は、入力軸側からの回転力のみを伝達する構造の回転伝達機構において、入力軸側からの回転力の伝達損失を従来よりも小さくしたものを採用したことに主たる特徴を有するものである。従って上記した特殊構造の回転伝達機構は、その入力軸に任意の操作部を、出力軸に任意の回転部材（軸）を連結することにより、温室用シート巻き取り装置だけでなく、さらには温室等の施設園芸分野以外にも、そのまま用いることができる。例えば、家庭用カーテンや各種シート材等の巻き取り装置における駆動機構の一部として用いることもできる。また、巻き取り装置に限らず、他の種々の用途における回転伝達機構として用いることができる。さらに、入力側からの回転駆動は上記のようにハンドルを取り付けて手動で行うこともできるし、モータによる電動構造とすることもできる。
なお、かかる回転伝達機構の構成は上記の説明から明らかであるが、念のため記せば、次のような態様のものである。
【００５１】
すなわち、筒状のケーシングと、
外径が前記ケーシングの内径よりも大径となるように形成されると共に、円周方向に沿って互いに離間して位置している各端部を内方に突出するように屈曲形成したフック部を有し、前記ケーシング内に装填されるコイルばねと、
前記コイルばねに形成された各フック部の内側面間に位置するように配置され、回転することにより、側端面のいずれかが前記いずれかのフック部の内側面に当接し、前記コイルばねを巻き締める入力側作用片を有すると共に、この入力側作用片に対し、回転した際に入力側作用片のいずれかの側端面がいずれかのフック部の内側面に当接するまでの間に、該フック部の外側面に当接することのない間隔をおいて１以上設けられる倒れ防止用突出片を有する入力軸と、
前記コイルばねに形成された各フック部の外側面間に位置するように配置され、回転することにより、側端面のいずれかが前記いずれかのフック部の外側面に当接し、前記コイルばねを巻き戻す出力側作用片を有し、前記入力軸と同軸上に設けられる出力軸とを具備し、
前記入力軸から回転力が入力された場合には、前記入力側作用片によってコイルばねが縮径してコイルばねが回転し、その回転力が出力軸に伝達される一方、前記出力軸から回転力が入力された場合には、前記出力側作用片によってコイルばねが拡径して前記ケーシング内周面に押し付けられ出力軸の回転動作が阻止されるものであることを特徴とする回転伝達機構である。
【００５２】
また、筒状のケーシングと、
外径が前記ケーシングの内径よりも大径となるように形成されると共に、円周方向に沿って互いに離間して位置している各端部を内方に突出するように屈曲形成したフック部を有し、前記ケーシング内に装填されるコイルばねと、
前記コイルばねに形成された各フック部の内側面間に位置するように配置され、回転することにより、側端面のいずれかが前記いずれかのフック部の内側面に当接し、前記コイルばねを巻き締める入力側作用片を有する入力軸と、
前記コイルばねに形成された各フック部の外側面間に位置するように配置され、回転することにより、側端面のいずれかが前記いずれかのフック部の外側面に当接し、前記コイルばねを巻き戻す出力側作用片を有し、該出力側作用片が、前記入力軸の入力側作用片の形成位置よりも軸心寄りに形成されている出力軸とを具備し、
前記入力軸から回転力が入力された場合には、前記入力側作用片によってコイルばねが縮径してコイルばねが回転し、その回転力が出力軸に伝達される一方、前記出力軸から回転力が入力された場合には、前記出力側作用片によってコイルばねが拡径して前記ケーシング内周面に押し付けられ出力軸の回転動作が阻止されるものであることを特徴とする回転伝達機構である。
【００５３】
また、筒状のケーシングと、
外径が前記ケーシングの内径よりも大径となるように形成されると共に、円周方向に沿って互いに離間して位置している各端部を内方に突出するように屈曲形成したフック部を有し、前記ケーシング内に装填されるコイルばねと、
前記コイルばねに形成された各フック部の内側面間に位置するように配置され、回転することにより、側端面のいずれかが前記いずれかのフック部の内側面に当接し、前記コイルばねを巻き締める入力側作用片を有し、該入力側作用片の各側端面が前記コイルばねの各フック部の内側面に対し、該フック部の屈曲部位より内側の部位を押圧するように形成されている入力軸と、
前記コイルばねに形成された各フック部の外側面間に位置するように配置され、回転することにより、側端面のいずれかが前記いずれかのフック部の外側面に当接し、前記コイルばねを巻き戻す出力側作用片を有し、前記入力軸と同軸上に設けられる出力軸とを具備し、
前記入力軸から回転力が入力された場合には、前記入力側作用片によってコイルばねが縮径してコイルばねが回転し、その回転力が出力軸に伝達される一方、前記出力軸から回転力が入力された場合には、前記出力側作用片によってコイルばねが拡径して前記ケーシング内周面に押し付けられ出力軸の回転動作が阻止されるものであることを特徴とする回転伝達機構である。
【００５４】
これらの回転伝達機構は、要すれば、入力軸に倒れ防止用突出片を設けて軸ぶれを防止して伝達効率を向上させる手段、出力軸の出力側作用片の形成位置を、入力側作用片の位置よりも軸心寄りとすることにより、コイルばねの内周面に接することを防止して伝達効率を向上させる手段、及び入力側作用片の側端面の形状を特定することにより、コイルばねのフック部の内側面に対する食いつきをよくし、伝達効率を向上させる手段ということになるが、これらは、それぞれ単独で用いることもできるし、２以上の手段を適宜に組み合わせた機構とすることもできる。
【００５５】
【発明の効果】
本発明によれば、ケーシング内周面に圧接可能なコイルばねを用いた入力軸側からの回転力のみを伝達する構造の回転伝達機構において、入力軸側からの回転力の伝達損失を従来よりも小さくすることができる。このため、この回転伝達機構を温室用シートの巻き取り装置に採用した場合には、温室用シートを効率よく巻き取り又は巻き戻しすることができる。
【図面の簡単な説明】
【図１】図１は、本発明の一の実施の形態にかかる温室用シート巻き取り装置で用いた回転伝達機構を示す分解斜視図である。
【図２】図２は、その組立状態の断面図である。
【図３】図３は、入力軸の構成を示す斜視図である。
【図４】図４は、出力軸の構成を示す斜視図である。
【図５】図５は、入力側作用片の作用を説明するための図である。
【図６】図６は、出力側作用片の作用を説明するための図である。
【図７】図７は、減速機構を設けた回転伝達機構を示す分解斜視図である。
【図８】図８（ａ），（ｂ）は、出力軸の他の例を示す斜視図である。
【図９】従来用いられている換気シート用巻き取り装置の概略構成を説明するための図である。
【図１０】従来の巻き取り装置で用いられている回転伝達機構を示す分解斜視図である。
【図１１】従来の回転伝達機構における入力側作用片の作用を説明するための図である。
【図１２】従来の回転伝達機構における出力側作用片の作用を説明するための図である。
【符号の説明】
１０  回転伝達機構
２０  ケーシング
３０  コイルばね
３１，３２  フック部
４０  入力軸
４３  入力側作用片
４４  倒れ防止用突出片
５０  出力軸
５３  出力側作用片
５４  支持部
６０  減速機構
【図１】
0004565586.tif 000003
【図２】
0004565586.tif 000004
【図３】
0004565586.tif 000005
【図４】
0004565586.tif 000006
【図５】
0004565586.tif 000007
【図６】
0004565586.tif 000008
【図７】
0004565586.tif 000009
【図８】
0004565586.tif 000010
【図９】
0004565586.tif 000011
【図１０】
0004565586.tif 000012
【図１１】
0004565586.tif 000013
【図１２】
0004565586.tif 000014